(57)【特許請求の範囲】
【請求項１】
ＡＶシステムにおいて、映像信号及び音声信号をアナログテレビジョンモニタ機器とケーブル接続されたアナログ出力受信ユニットである他の機器から入力する側の機器と対になって使用される、デジタル放送を受信することにより得られたデジタルデータ形態とされ且つ所定の符号化方式で符号化された映像信号及び音声信号を他の機器に出力する側の機器である、チューナー部、ＱＰＳＫ復調部、ビタビ復号部、リードソロモンエラー訂正部及びデマルチプレクサを備えるチューナーであって、
前記チューナー部、ＱＰＳＫ復調部、ビタビ復号部、リードソロモンエラー訂正部及デマルチプレクサによって出力される前記デジタル放送を受信することにより得られたデジタルデータ形態とされ且つ所定の符号化方式で符号化された映像信号及び音声信号を復号し、さらにアナログ信号に変換して、有線により前記他の機器に出力する側の機器である当該チューナーの外部に出力する変換器と、
前記変換器に入力される前記デジタルデータ形態とされ且つ所定の符号化方式で符号化された映像信号及び音声信号の供給源と同一の供給源からの前記デジタルデータ形態とされ且つ所定の符号化方式で符号化された映像信号及び音声信号が入力され、この入力されたデジタル形態とされ且つ所定の符号化方式で符号化された映像信号及び音声信号に対して所定のデジタル変調処理を行い、ＲＦ信号として無線により前記他の機器に出力する側の機器である当該チューナーの外部に出力するデジタル入力送信ユニットと
を備えているチューナー。
【発明の詳細な説明】
【０００１】
【発明の属する技術分野】
本発明はテレビジョンモニタ、ＶＴＲ（Ｖｉｄｅｏ  Ｔａｐｅ  Ｒｅｃｏｒｄｅｒ）、ＤＶＤ（Ｄｅｇｉｔａｌ  Ｖｅｒｓａｔｉｌｅ  Ｄｉｓｃ／Ｄｉｇｉｔａｌ  Ｖｉｄｅｏ  Ｄｉｓｃ）レコーダなどの映像／音声機器を有するシステムに好適な映像／音声送受信システムに関する。
【０００２】
【従来の技術】
一般ユーザーの家庭などにおいて、テレビジョンモニタ装置、衛星放送チューナ、ＶＴＲ、ＤＶＤ記録再生装置など、映像信号及び音声信号を扱う各種機器を接続したＡＶシステム（オーディオ／ビジュアルシステム）が使用されることが一般化している。
例えば最も簡略なシステムとしては例えば衛星放送チューナをテレビジョン受像器と接続することで、衛星放送を視聴することができるようにしたり、ＶＴＲやＤＶＤ記録再生装置などの機器とテレビジョン受像器を接続して、映像／音声の記録再生を行うものなどがある。
【０００３】
【発明が解決しようとする課題】
ところで、ユーザーがＡＶシステムを構築するにあたっては、チューナ、ＶＴＲ、テレビジョンモニタなどの各機器間で、映像信号及び音声信号の伝送が行われるように同軸ケーブルや光ケーブルなどでケーブル接続を行うことになる。
伝送される映像信号／音声信号の伝送信号形態としては、アナログ信号方式のものやデジタル信号方式のものが存在し、各機器の性能（アナログ／デジタル対応性能や接続端子形態）に応じてユーザーが選択するものとなる。また公知の通り、デジタル信号形態の伝送を行うようにすれば、アナログ信号形態で伝送を行うよりも信号品質がよい（つまり伝送経路における信号劣化が少ない）とされ、高画質、高音質での映像／音声出力が可能となるとされる。
【０００４】
しかしながらいずれにしても、ケーブルを使用して各機器間を有線接続した場合は、物理的に各機器の配置がある程度限定されるものとなる問題があった。すなわち、例えばテレビジョン受像器と衛星放送チューナを接続する場合に、ケーブルが短い場合は、テレビジョン受像器と衛星放送チューナを近接して配置しなければならない。
ユーザーの室内の機器配置事情が許せばよいが、近接配置が困難な場合は長いケーブルを使用せざるを得ず、特にアナログ伝送の場合はケーブルが長くなることに応じて信号劣化という点でも不利なものとなる。
即ちケーブル接続により、機器配置や画質、音質等の信号品質の面でユーザーは制限を受けることになってしまう。
【０００５】
一方、ケーブル接続による問題を解消するには、例えば映像信号及び音声信号を機器間で無線通信することが考えられる。このため、例えばテレビジョン受像器と衛星放送チューナを接続する場合を例にあげると、衛星放送チューナで受信、復調されて得られた、例えばコンポジット映像信号及びアナログ音声信号を、電波によりテレビジョン受像器に送信するという方式が考えられる。
ところが、アナログ形態での映像信号や音声信号を送信キャリアで変調して無線伝送する場合、上記の機器配置の問題は解消されるが、伝送過程での信号劣化は避けられず、高画質、高音質の出力を得ることは困難であった。
【０００６】
【課題を解決するための手段】
本発明はこのような問題点に鑑みて、例えばＡＶシステムにおける機器間の映像信号／音声信号の伝送を、無線方式かつデジタル形態で行うことにより、機器配置の問題の解消と信号の高品質化を図ることを目的としたものである。
【０００８】
ＡＶシステムにおいて、映像信号及び音声信号をアナログテレビジョンモニタ機器とケーブル接続されたアナログ出力受信ユニットである他の機器から入力する側の機器と対になって使用される、デジタル放送を受信することにより得られたデジタルデータ形態とされ且つ所定の符号化方式で符号化された映像信号及び音声信号を他の機器に出力する側の機器である、チューナー部、ＱＰＳＫ復調部、ビタビ復号部、リードソロモンエラー訂正部及びデマルチプレクサを備えるチューナーであって、前記チューナー部、ＱＰＳＫ復調部、ビタビ復号部、リードソロモンエラー訂正部及デマルチプレクサによって出力される前記デジタル放送を受信することにより得られたデジタルデータ形態とされ且つ所定の符号化方式で符号化された映像信号及び音声信号を復号し、さらにアナログ信号に変換して、有線により前記他の機器に出力する側の機器である当該チューナーの外部に出力する変換器と、前記変換器に入力される前記デジタルデータ形態とされ且つ所定の符号化方式で符号化された映像信号及び音声信号の供給源と同一の供給源からの前記デジタルデータ形態とされ且つ所定の符号化方式で符号化された映像信号及び音声信号が入力され、この入力されたデジタル形態とされ且つ所定の符号化方式で符号化された映像信号及び音声信号に対して所定のデジタル変調処理を行い、ＲＦ信号として無線により前記他の機器に出力する側の機器である当該チューナーの外部に出力するデジタル入力送信ユニットとを備えている。
【００１０】
このような伝送システムを用いて映像信号、音声信号を伝送することにより、従来のように有線でアナログ信号形態の接続を行う必要がなくなる。またデジタル伝送により伝送中の信号劣化の点も改善できる。
【００１１】
【発明の実施の形態】
以下、本発明の映像／音声伝送システムの実施の形態としての３つの例を図１から図７を用いて説明する。
図１、図２、図３で第１の実施の形態、図４、図５は第２の実施の形態、図６、図７は第３の実施の形態の説明に用いる。
各実施の形態の例は、それぞれ映像／音声伝送システムとしての送信ユニットと受信ユニットの形態が異なる例である。
この場合の形態の違いとは、送信ユニットについては、他の主たる機器に内蔵されるものであるか、もしくは別体の独立した機器とされるかの違いと、その送信ユニットに入力される映像信号及び音声信号がアナログ形態とされるかデジタル形態とされるかの違いである。
また受信ユニットについては、他の主たる機器に内蔵されるものであるか、もしくは別体の独立した機器とされるかの違いと、その受信ユニットから出力される映像信号及び音声信号がアナログ形態とされるかデジタル形態とされるかの違いである。
【００１２】
まず第１の実施の形態として、図１に本例の映像／音声伝送システムを有するＡＶシステムの構成を示す。
図１において、映像／音声出力機器１とはＶＴＲ、レーザディスクプレーヤ、ＢＳ（衛星放送）チューナー、ＤＶＤプレーヤなどに相当する機器となる。つまり映像／音声出力機器１とは、ＡＶシステム内で映像音声及び音声信号を他の機器に出力するユニットとして位置づけられる機器である。そして、この例では、映像／音声出力機器１は、アナログ映像信号Ｖａ、及びＬ、Ｒステレオのアナログ音声信号ＡＬａ、ＡＲａを出力するものとする。
【００１３】
また、映像／音声入力機器４とは例えばテレビジョンモニタ、ＶＴＲ、ＤＶＤレコーダなどに相当する機器となる。つまりＡＶシステム内で映像音声及び音声信号を他の機器から供給されて所定の処理を行うユニットとして位置づけられる機器である。そして、この例では、映像／音声入力機器４は、アナログ映像信号Ｖａ、及びＬ、Ｒステレオのアナログ音声信号ＡＬａ、ＡＲａが入力可能とされるものとする。
【００１４】
本例の映像／音声伝送システムは、アナログ入力送信ユニット２とアナログ出力受信ユニット３により構成される。
そしてこの場合、アナログ入力送信ユニット２は、映像／音声出力機器１とは独立したユニットで、かつ映像／音声出力機器１からアナログ映像信号Ｖａ、及びＬ、Ｒステレオのアナログ音声信号ＡＬａ、ＡＲａが入力されるユニットであるとする。
またアナログ出力受信ユニット３は、映像／音声入力機器４とは独立したユニットで、かつ映像／音声入力機器４に対してアナログ映像信号Ｖａ、及びＬ、Ｒステレオのアナログ音声信号ＡＬａ、ＡＲａを出力するユニットであるとする。
【００１５】
図１に示すように、映像／音声出力機器１からアナログ映像信号Ｖａ、アナログ音声信号ＡＬａ、ＡＲａは例えばケーブル７，８，９によりアナログ入力送信ユニット２へ出力される。アナログ入力送信ユニット２に供給された各信号Ｖａ、ＡＬａ、ＡＲａはアナログ入力送信ユニット２内にてデジタル変換や所定の変調処理等が施され、デジタル形態のデータとしてアンテナ５から無線送信される。
【００１６】
アンテナ５から無線送信されたデジタル形態のデータはアナログ出力受信ユニット３に設けられているアンテナ６で受信される。アナログ出力受信ユニット３では、受信されたデータの復調や、復調されたデジタル信号のアナログ信号への変換等が行われ、アナログ映像信号Ｖａ、アナログ音声信号ＡＬａ、ＡＲａがケーブル１０、１１、１２により映像／音声入力機器４に供給される。映像／音声入力機器４をテレビジョンモニタであるとすると、この映像／音声入力機器４ではアナログ出力受信ユニットから供給されたアナログ映像信号Ｖａ、アナログ音声信号ＡＬａ、ＡＲａにより、映像、音声出力を実行することになる。
【００１７】
図１に示したアナログ入力送信ユニット２の内部構成を図２を用いて説明する。
映像／音声出力機器１から供給されたアナログ映像信号ＶａはＡ／Ｄ変換器１３にてデジタル信号に変換される。Ａ／Ｄ変換器１３から得られたデジタルビデオ信号はビデオエンコーダ１５によって例えばＭＰＥＧ２方式の情報圧縮処理が行われる。また、映像／音声出力機器１から供給されたアナログ音声信号ＡＬａ、ＡＲａはＡ／Ｄ変換器１４にてデジタル信号に変換される。Ａ／Ｄ変換器１４から得られたデジタル音声信号はオーディオエンコーダ１６によってＭＰＥＧ２方式の情報圧縮処理が行われる。
【００１８】
ＭＰＥＧ２方式のフォーマットにエンコードされたデジタルビデオ信号とデジタルオーディオ信号はＥＣＣエンコード１７に供給され、無線伝送のためのエラー訂正符号を付加する処理が行われる。そして、ＥＣＣエンコード１７から出力されたデジタル信号は変調器１８にてデジタルデータ通信のための所定のデジタル変調／多重化される。デジタル変調方式としては各種考えられるが、例えばπ／４シフトＤＱＰＳＫ変調やＱＰＳＫ変調などが考えられ、また音声データと映像データの多重化方式としては、周波数分割多重方式（ＦＤＭＡ）、時分割多重方式（ＴＤＭＡ）、符号分割多重方式（ＣＤＭＡ）、直交周波数分割多重方式（ＯＦＤＭ）などが採用できる。
そして変調された信号は、周波数変換器１９にて周波数変換されＲＦ信号とされ、送信増幅器２０において増幅された後、アンテナ５から電波送信される。
【００１９】
次に図３によりアナログ出力受信ユニット３の構成を説明する。
アンテナ６では、上述のようにアナログ入力送信ユニット２のアンテナ５から送信された電波を受信し、受信増幅器２１では受信電波についてＲＦ信号増幅を行って周波数変換器２２に供給する。そして周波数変換器２２において周波数変換され、復調器２３にてデジタル復調される。復調されたデジタル信号はＥＣＣデコード２４によりエラー訂正符号を用いたエラー検出、エラー訂正処理が行われＭＰＥＧ２方式の形態のデジタル映像信号、デジタル音声信号が得られることになる。
【００２０】
ＥＣＣデコード２４から出力されたデジタル映像信号についてはビデオデコード２５によってＭＰＥＧ２方式で圧縮されていた情報の復号がなされ、さらにＤ／Ａ変換器２７によってアナログ変換されアナログ映像信号Ｖａとして映像／音声入力機器４に出力される。
またＥＣＣデコード２４から出力されたデジタル音声信号についてはオーディオデコード２６によって情報の復号がなされ、さらにＤ／Ａ変換器２８によってアナログ変換されアナログ音声信号ＡＬａ、ＡＲａとして映像／音声入力機器４に出力される。
【００２１】
本例では以上のように映像／音声出力機器１から映像／音声入力機器４への映像信号、音声信号の伝送を、アナログ入力送信ユニット２、アナログ出力受信ユニット３を介して実行するため、映像／音声出力機器１と映像／音声入力機器４の間をケーブル接続する必要はなく、これによって映像／音声出力機器１と映像／音声入力機器４の配置位置関係は、無線電波の届く範囲内において制限されることはなくなる。
またアナログ入力送信ユニット２は、単にエンコード及び送信回路系が搭載されるのみでよく、小型の機器として構成でき、例えば映像／音声出力機器１の近傍に配置することに適したものとすることができる。従って特に映像／音声出力機器１とアナログ入力送信ユニット２の配置については問題は生じず、またケーブル７，８，９も短いもので十分であり、映像／音声出力機器１からアナログ入力送信ユニット２への伝送時に信号劣化のほとんどないものとすることができる。アナログ出力受信ユニット３と映像／音声入力機器４の間についても同様である。
そしてさらにアナログ入力送信ユニット２からアナログ出力受信ユニット３への無線送信データはデジタル方式で行われるため、信号劣化のほとんどない伝送が可能となり、映像信号や音声信号を品質を保つことができる。
【００２２】
またアナログ入力送信ユニット２とアナログ出力受信ユニット３をそれぞれ独立ユニットとして構成することで、ユーザーの所有する各種ＡＶ機器に対応して図１の構成を実現できる。
【００２３】
次に図４、図５で第２の実施の形態としての映像／音声伝送システムを有するＡＶシステムを説明する。
図４において、映像／音声出力機器３０とは上述した第１の実施の形態の映像／音声出力機器１と同様に、ＡＶシステム内で映像音声及び音声信号を他の機器に出力するユニットとして位置づけられる機器である。
但し、この例では、映像／音声出力機器３０には、本例の映像／音声伝送システムを構成するデジタル入力送信ユニットが内蔵されており、この映像／音声出力機器３０内部において、出力すべき映像信号及び音声信号を、デジタルデータ形態でデジタル入力送信ユニットに供給するようにしている。
【００２４】
一方、映像／音声入力機器５７は、上述した第１の実施の形態の映像／音声入力機器４と同様にテレビジョンモニタ機器等であり、アナログ映像信号Ｖａ、及びＬ、Ｒステレオのアナログ音声信号ＡＬａ、ＡＲａが入力可能とされるものとする。
また本例の映像／音声伝送システムを構成するアナログ出力受信ユニット５３は、第１の実施の形態のアナログ出力受信ユニット３と同様の構成としている。つまりアナログ出力受信ユニット５３は、映像／音声入力機器５７とは独立したユニットで、かつ映像／音声入力機器５７に対してアナログ映像信号Ｖａ、及びＬ、Ｒステレオのアナログ音声信号ＡＬａ、ＡＲａを出力するユニットであるとする。
【００２５】
この例の場合、ＶＴＲ、レーザディスクプレーヤ、ＢＳチューナー、ＤＶＤプレーヤなどの機器である映像／音声出力機器３０は、映像／音声入力機器５７に供給すべき映像信号、音声信号を、デジタルデータ形態でデジタル入力送信ユニット５０に供給する。
そしてデジタル入力送信ユニット５０にて映像信号、音声信号はそれぞれ無線送信のためにデジタル変調され、アンテナ５１から送信出力される。
【００２６】
この送信電波はアナログ出力受信ユニット５３に突設されているアンテナ５２により受信され、アナログ出力受信ユニット５３内で復調、デコード、アナログ信号への変換が行われる。そしてケーブル５４によりアナログ映像信号Ｖａとしては映像／音声出力機器５７に出力され、またケーブル５５，５６によりアナログ音声ＡＬａ、ＡＲａとして映像／音声入力機器５７に出力される。
【００２７】
図５に映像／音声出力機器３０をＢＳチューナーとした場合の構成例を示す。図中、一点鎖線で囲った部分が内蔵のデジタル入力送信ユニット５０となり、他の部分は通常のＢＳチューナとしての構成部位となる。
【００２８】
放送衛星から送信される１２ＧＨｚ帯の電波は図示しないＢＳアンテナで受信され、ＢＳコンバータにより中心周波数が１ＧＨｚ帯で２７ＭＨｚの周波数帯域幅をもったＢＳ−ＩＦ信号に変換される。この中間周波数信号ＩＦに変換された信号が同軸ケーブルにより、チューナー３１に供給される。
チューナー３１で選局処理されて得られた受信信号は、ＱＰＳＫ復調部３２においてＱＰＳＫ復調され、ビタビ復号部３３にてビタビ復号され、リードソロモンエラー訂正部３４にてエラー訂正が行なわれる。そしてデマルチプレクサ３５からＭＰＥＧ２方式の映像信号、音声信号として取り出される。
【００２９】
デマルチプレクサ３５から出力されるＭＰＥＧ２方式の映像信号、音声信号は、デジタル入力送信ユニット５０に供給されるほか、ビデオデコーダ３６、オーディオデコーダ３８に供給される。
ビデオデコーダ３６に供給された映像信号はＭＰＥＧ２情報圧縮の解除がなされた後、Ｄ／Ａ変換器３７にてアナログ映像信号Ｖａとされて出力される。また、オーディオデコーダ３８に供給された音声信号はＭＰＥＧ２方式のデコード処理が行われた後、Ｄ／Ａ変換器３９にてアナログ音声信号ＡＬａ、ＡＲａとされて出力される。このアナログ映像信号Ｖａ、アナログ音声信号ＡＬａ、ＡＲａの出力は、従来のような有線によるテレビジョン受像器などへの接続などで用いられるもので、図４に示した本例の方式で信号伝送する場合には必要ない。
【００３０】
デマルチプレクサ３５からデジタル入力送信ユニット５０内のＥＣＣエンコード４０に供給されたＭＰＥＧ２方式の映像信号、音声信号には、エラー訂正コードを付加するエンコードが行われる。そして変調部４１においてデジタル変調／多重化が行われる。さらに周波数変換器４２においてＲＦ信号に変換された信号は送信増幅器４３において増幅されアンテナ４４を介して無線送信出力される。
【００３１】
この送信信号は上述したようにアナログ出力受信ユニット５３によって受信・復調・ＭＰＥＧ２デコード、Ｄ／Ａ変換が行われ、アナログ映像信号Ｖａ、アナログ音声ＡＬａ、ＡＲａとして映像／音声入力機器５７に供給されることになる。
なおアナログ出力受信ユニット５３の構成は、図３に示した第１の実施の形態のアナログ出力受信ユニット３と同様の構成とし、重複説明を省略する。
【００３２】
このような第２の実施の形態では、第１の実施の形態の例と同様に機器配置や信号品質の保持という効果が得られるとともに、デジタル入力送信ユニット５０が内蔵型であることから、そのデジタル入力送信ユニット５０については配置の問題は全く生じないことになるとともに、ケーブル等による映像／音声出力機器３０との間の信号伝送が不要となることでさらなる高品質かを実現できる。
また図５のように構成した場合、ＭＰＥＧ２方式として抽出された映像信号、音声信号をそのまま無線送信用に変調することになり、例えばＭＰＥＧ２の信号をデコードした後に再度エンコードして送信するという無駄が省け、その分信号品質の保持及び総合的な回路構成の簡略化が実現できる。
【００３３】
次に、図６、図７を用いて、本発明の第３の実施の形態を説明する。
この例では、本例の映像／音声伝送システムとなるデジタル入力送信ユニット５０とデジタル出力受信ユニット６２が、主たる機器に内蔵されるタイプであるとする。
つまり図６のように、映像／音声出力機器３０にデジタル入力送信ユニットが内蔵され、また映像／音声入力機器６１にデジタル出力受信ユニットが内蔵される。
この場合映像／音声出力機器３０はＢＳチューナーなどの装置であり、出力すべき映像信号、音声信号は内蔵されているデジタル入力送信ユニット５０によってアンテナ５１から無線送信出力される。この映像／音声出力機器３０及びデジタル入力送信ユニット５０は、上記第２の実施の形態の映像／音声出力機器３０及びデジタル入力送信ユニット５０と同様の構成、例えば図５の構成とし、重複説明は省略する。
【００３４】
アンテナ５１より送信された電波信号は映像／音声入力機器６１内のデジタル出力受信ユニット６２に接続されるアンテナ６０に受信される。
このデジタル出力受信ユニット６２を内蔵する映像／音声入力機器６１は、例えばデジタルビデオテープレコーダ、ＤＶＤレコーダなどとされることが好適であり、例えば図７のように構成される。
図７において一点鎖線で囲った部分がデジタル出力受信ユニット６２、他の部分がビデオテープレコーダ、ＤＶＤレコーダなどとしての記録回路系を示す。
アンテナ６０によって受信された信号は、受信増幅器６４によって増幅された後、周波数変換器６５にて周波数変換され、復調器６６によってデジタル復調されたる。そしてＥＣＣデコード６７でエラー訂正コードを用いたエラー検出とエラー訂正が行われる。これによって例えばＭＰＥＧ２方式の映像信号、音声信号がデジタル出力受信ユニット６２で得られることになる。
このＭＰＥＧ２方式の映像信号、音声信号は、映像／音声入力機器６１内の本来機能である記録動作を実行する回路系にデジタルデータ形態のまま供給される。即ち記録用エンコード６８によってその記録装置が対応する記録媒体のフォーマットに沿ったエンコード処理が行われ、記録信号として記録ドライブ部６９に供給されて、記録媒体に対する書込が行われる。
【００３５】
この第３の実施の形態の例では、第１の実施の形態の例と同様に機器配置や信号品質の保持という効果が得られるとともに、デジタル入力送信ユニット５０とデジタル出力受信ユニット６２がともに内蔵型であることから、映像／音声伝送システムとしては配置上の問題は全く生じないことになる。
また映像／音声出力機器３０とデジタル入力送信ユニット５０間の信号伝送、及びデジタル出力受信ユニット６２と映像／音声入力機器６１間の信号伝送については、ケーブル等による映像／音声出力機器３０との間の信号伝送による劣化を完全に解消できる。
【００３６】
以上実施の形態として３つの例を説明したが、本発明の映像／音声伝送システムとしてはさらに多様な構成例が考えられることはいうまでもない。
例えば送信ユニットとしてはデジタル入力であって独立したユニットとするものも考えられ、また受信ユニットとしても、デジタル出力であって独立したユニットとすることも考えられる。
【００３７】
【発明の効果】
以上説明したように本発明の映像／音声伝送システムは、入力される映像信号及び音声信号の入力処理手段と、入力処理手段から出力される所定のデジタル変調された状態の映像信号及び音声信号について、所定の送信変調処理を行い、送信出力する送信手段を有する送信ユニットと、送信ユニットの送信手段から送信される信号を受信し、所定の受信復調処理を行う受信手段と、受信手段で得られる、所定のデジタル変調された状態の映像信号及び音声信号の出力処理手段を有する受信ユニットとから構成する。このような映像／音声伝送システムをＡＶシステムを構成する各機器間の映像信号、音声信号の伝送に用いることで、機器間をケーブル接続する必要がなくなり、それぞれの配置位置について制限をなくすことができるという効果がある。これによってユーザーはテレビジョン受像器、チューナー、ＶＴＲなどの機器を自由に配置できる。
また送信ユニットと受信ユニットにおける無線伝送はデジタル通信形態を用いるので、信号劣化がほとんどなく高品質な信号を保つことができるという効果がある。
さらにユニット化することにより、単体の機器として汎用的に各種ＡＶ機器に対応できるようにすることができ、一方、主たる機器の内蔵型としても容易に実現できる。
【図面の簡単な説明】
【図１】本発明の第１の実施の形態の映像／音声伝送システムを有するＡＶシステムの概略図である。
【図２】第１の実施の形態のアナログ入力送信ユニットのブロック図である。
【図３】第１の実施の形態のアナログ出力受信ユニットのブロック図である。
【図４】本発明の第２の実施の形態の映像／音声伝送システムを有するＡＶシステムの概略図である。
【図５】第２の実施の形態における映像／音声出力機器をＢＳチューナーとした場合の例を示すブロック図である。
【図６】本発明の第３の実施の形態の映像／音声伝送システムを有するＡＶシステムの概略図である。
【図７】第３の実施の形態における映像／音声入力機器を示すブロック図である。
【符号の説明】
１、３０  映像／音声出力機器  ２  アナログ入力送信ユニット  ３  アナログ出力受信ユニット  ４  映像／音声入力機器  ５、６、４４、５１、５２、６０  アンテナ  ７、８、９、１０、１１、１２  ケーブル  １３、１４  Ａ／Ｄ変換器  １５、１６  ＭＰＥＧ２  １７、４０  ＥＣＣエンコード  １８、４１変調器  １９、２２、４２、６５  周波数変換器  ２０、２１、４３、６４  送信増幅器  ２３、６６  復調器  ２４、６７  ＥＣＣデコード  ２５、２６  ＭＰＥＧ２ビデオデコード  ２７、２８、３７、３９  Ｄ／Ａ変換器  ３１  チューナー  ５０  デジタル入力送信ユニット  ６２  デジタル出力受信ユニット
【図１】
0004499196.tif 000002
【図２】
0004499196.tif 000003
【図３】
0004499196.tif 000004
【図４】
0004499196.tif 000005
【図５】
0004499196.tif 000006
【図６】
0004499196.tif 000007
【図７】
0004499196.tif 000008